(57)【要約】      （修正有）【課題】手の甲側を走行する動脈の橈骨動脈に形成した穿刺部位に適切に圧迫力を付与することが可能な止血補助具及び止血方法を提供する。【解決手段】本発明に係る止血補助具１００は、患者Ｈの手の親指と人差し指に少なくとも装着可能な装着部１０と、装着部を装着した親指と人差し指を一の平面上において接触した状態に保持する保持部２０と、を有する。これにより親指と人差し指の間の第１背側骨格筋を盛り上げて、遠位橈骨動脈を圧迫することで、穿刺部位Ｐを圧迫止血する。【選択図】図１
2019217130.tif 000002
【特許請求の範囲】
【請求項１】
手の親指と人差し指に少なくとも装着可能な装着部と、
前記装着部を装着した前記親指と前記人差し指を一の平面上において接触した状態に保持する保持部と、を有する止血補助具。
【請求項２】
前記保持部は、前記親指と前記人差し指とを磁力によって前記平面上において接触した状態に保持する磁力部を備える、請求項１に記載の止血補助具。
【請求項３】
前記保持部は、弾性変形可能な弾性部材を備え、
前記弾性部材の弾性力によって前記親指と前記人差し指とを前記平面上において接触した状態に保持する、請求項１に記載の止血補助具。
【請求項４】
前記装着部は、前記親指及び前記人差し指に装着可能な指サックを備える、請求項１〜３のいずれか１項に記載の止血補助具。
【請求項５】
前記装着部は、前記親指及び前記人差し指を包囲する手袋を備える、請求項１〜３のいずれか１項に記載の止血補助具。
【請求項６】
穿刺部位又は前記穿刺部位の周辺を圧迫可能な圧迫部材をさらに有する、請求項１〜５のいずれか１項に記載の止血補助具。
【請求項７】
手の遠位橈骨動脈の穿刺部位の止血の補助に用いられる請求項１〜６のいずれか１項に記載の止血補助具。
【請求項８】
穿刺された遠位橈骨動脈の止血方法であって、
手の親指と人差し指を接触させて、前記親指と前記人差し指の間の第１背側骨格筋を盛り上げて、前記遠位橈骨動脈を圧迫するステップと、
穿刺部位を止血器具で圧迫止血するステップと、を有する止血方法。
【発明の詳細な説明】
【技術分野】
【０００１】
本発明は、止血補助具及び止血方法に関する。
【背景技術】
【０００２】
カテーテル手技の一つとして、患者の腕の血管（例えば、橈骨動脈）を穿刺し、患者の腕の血管に形成した穿刺部位を介して各種の医療用長尺体を血管内に導入し、病変部位に対する処置や治療を行う手技が知られている。
【０００３】
穿刺後には、一般的に穿刺部位又はその周辺に圧迫力を付与し、止血を行なう。圧迫力を付与する従来の器具には、止血剤層を備えた止血手袋が開示されている（特許文献１参照）。
【先行技術文献】
【特許文献】
【０００４】
【特許文献１】特表２０１６−５１２９６３号公報
【発明の概要】
【発明が解決しようとする課題】
【０００５】
近年では、上記部位に加えて手の遠位橈骨動脈を穿刺し、当該穿刺部位を介して治療を行うｄＴＲＩ（ｄｉｓｔａｌ  ｔｒａｎｓｒａｄｉａｌ  ｉｎｔｅｒｖｅｎｔｉｏｎ）によるカテーテル手技が試みられている。特許文献１の手袋は、使用者の手に密着しない可能性があり、その場合止血部位に適切に圧迫力を付与できず、止血中に痛み、しびれや血管閉塞を生じる場合がある。
【０００６】
そこで本発明は、止血部位に適切に圧迫力を付与することが可能な止血補助具及び止血方法を提供することを目的とする。
【課題を解決するための手段】
【０００７】
上記目的を達成する本発明に係る止血補助具は、手の親指と人差し指に少なくとも装着可能な装着部と、前記装着部を装着した前記親指と前記人差し指を一の平面上において接触した状態に保持する保持部と、を有する。
【０００８】
上記目的を達成する本発明に係る止血方法は、穿刺された遠位橈骨動脈の止血方法であって、手の親指と人差し指を接触させて、前記親指と前記人差し指の間の第１背側骨格筋を盛り上げて、前記遠位橈骨動脈を圧迫するステップと、穿刺部位を止血器具で圧迫止血するステップと、を有する。
【発明の効果】
【０００９】
本発明に係る止血補助具及び止血方法によれば、止血部位に適切に圧迫力を付与することができる。
【図面の簡単な説明】
【００１０】
【図１】本発明の第１実施形態に係る止血補助具を装着した手を示す図である。
【図２】図１に示す止血補助具を用いて親指と人差し指とを接触させた状態を示す図である。
【図３】本発明の第１実施形態に係る止血方法を示すフローチャートである。
【図４】本発明の第２実施形態に係る止血補助具を装着した手を示す図である。
【図５】本発明の第３実施形態に係る止血補助具を装着した手を示す図である。
【図６】図５の変形例に係る止血補助具を示す図である。
【図７】図６における圧迫部材を用いて止血部位を圧迫する際を示す図である。
【図８】図１の変形例に係る止血補助具を示す図である。
【図９】図１の変形例に係る止血補助具を示す図である。
【図１０】図１の変形例に係る止血補助具を示す図である。
【図１１】図１等の止血補助具とともに使用可能な装着部材を示す斜視図である。
【図１２】図１１の正面図である。
【図１３】図５等の変形例に係る止血補助具を指先側から見た平面図である。
【発明を実施するための形態】
【００１１】
以下、添付した図面を参照しながら、本発明の実施形態を説明する。なお、以下の記載は特許請求の範囲に記載される技術的範囲や用語の意義を限定するものではない。また、図面の寸法比率は説明の都合上誇張されており、実際の比率とは異なる場合がある。なお、以下では掌に沿う面（平面）を平面ＸＹと記載する。また、ＸＹ平面に直交する手の厚さ方向を厚さ方向Ｚと記載する。
【００１２】
（第１実施形態）
図１、図２は、本発明の第１実施形態に係る止血補助具１００の説明に供する図である。
【００１３】
本実施形態に係る止血補助具１００は、患者の手Ｈの甲側を走行する動脈の橈骨動脈側においてスナッフボックスよりも指先側を走行する遠位橈骨動脈（図１、図２の穿刺部位Ｐ参照）に形成した生体の穿刺部位の止血を補助するために用いられる。なお、スナッフボックス内の橈骨動脈とは、橈骨動脈の末梢側で、短母指伸筋腱と長母指伸筋腱の間に位置する部位の橈骨動脈（ネッター原書第４版解剖学的カギ煙草入れ内の橈骨動脈）であり、以下ｓ−ＲＡという。遠位橈骨動脈は、橈骨動脈の背側手根枝で、長母指伸筋腱と、長橈側手根伸筋腱の間に位置する橈骨動脈であり、以下ｄ−ＲＡという。
【００１４】
なお、図面では一例として右手に穿刺を行う場合を示しているが、止血補助具１００の対象は右手に限定されず、左手であってもよい。なお、本明細書において「補助」とは、穿刺部位を止血しやすくするために親指と人差し指の間に位置する第１背側骨格筋Ｍ（図２参照）を圧迫して近傍を厚さ方向Ｚに盛り上げた状態とすることを言う。
【００１５】
止血補助具１００は、図１を参照して概説すれば、装着部１０と、保持部２０と、を有する。以下、詳述する。
【００１６】
（装着部）
装着部１０は、図１に示すように、手の親指に装着可能な第１装着部１１と、手の人差し指に装着可能な第２装着部１２と、を備える。
【００１７】
第１装着部１１は親指に装着可能な指サック、及び第２装着部１２は人差し指に装着可能な指サックとして構成している。第１装着部１１及び第２装着部１２は、一般的な成人用の親指又は人差し指の形状に合わせて形成している。もちろん、第１装着部１１及び第２装着部１２の仕様は上記に限定されず、子供用や女性用など、対象者に応じて形状等を適宜変更できる。
【００１８】
装着部１０の材料は、可撓性を備えれば特に限定されない。例示すれば、天然ゴムの他にブタジエンゴム、スチレン−ブタジエンゴム、イソプレンゴム、エチレン−プロピレンゴム、ブチルゴム、クロロプレンゴム、ニトリルゴム、アクリルゴム、ウレタンゴム、シリコーンゴム、フッ素ゴム、ポリエーテルゴム、多硫化ゴム、クロロスルホン化ポリエチレンゴム、等の合成ゴムを主原料とすることができる。また、単一のゴム成分のみならず、２種以上のゴム成分を混合したものを主原料として使用してもよい。また、装着部１０は単層構造のものでも、異なるゴム成分からなる複数の層を備えた積層構造を有していてもよい。
【００１９】
（保持部）
保持部２０は、装着部１０を装着した親指と人差し指を一の平面ＸＹ上において接触した状態に保持する。本実施形態では、保持部２０が、親指と人差し指とを互いに磁力によって平面ＸＹ上において接触した状態に保持する一対の磁石部材２１、２２を備える。
【００２０】
磁石部材２１は、図１に示すように第１装着部１１の側面（装着時の親指末節骨近傍）に取り付けられる。磁石部材２２は、装着部１０の装着状態において磁石部材２１と向かい合うように第２装着部１２の側面（装着時の人差し指基節骨近傍）に取り付けられる。
【００２１】
ただし、磁石部材２１、２２の形状及び位置は、磁石部材２１が磁石部材２２に接触することで親指と人差し指を一の平面ＸＹ上で接触させることができれば、図１に示す態様に特に限定されない。図１では、磁石部材２１を第１装着部１１の先端（装着時の親指末節骨近傍）に取り付け、磁石部材２２を第２装着部１２の根元近傍（装着時の人差し指関節近傍）に取り付けている。磁石部材２１、２２は本明細書において磁力部に相当する。磁石部材２１、２２は本実施形態において円形状等を備え、比較的限られた狭い範囲に設けるように構成している。
【００２２】
これにより、穿刺部位又は穿刺部位の周辺は磁石部材２１、２２の磁力によって、図２に示すように一の平面ＸＹ上に接近した状態に保持される。
【００２３】
ここで、「一の平面上において接触した状態に保持」とは、止血を簡便に行うために患者自身が力をこめなくても手の親指と人差し指の間の穿刺部位及びその周辺にあたる第１背側骨格筋Ｍ（図２参照）を厚さ方向Ｚに盛り上がらせることができる状態を意味する。一例として、略平坦な台の上に手を載置させて、その状態において親指と人差し指を台の面に沿わせて装着部１０を介して接触させる場合等が挙げられる。
【００２４】
ただし、親指と人差し指とを接触させて親指と人差し指の間の穿刺部位及びその周辺にあたる第１背側骨格筋Ｍ（図２参照）を厚さ方向Ｚに盛り上げることができれば、必ずしも台の面を利用しなくてもよい。本実施形態では、上記のように磁石部材２１を第１装着部１１の側面に設け、磁石部材２２を第２装着部１２において磁石部材２１と向かい合う側面に設けている。このように構成することによって、平坦な台を用いなくても親指と人指し指を一の平面ＸＹ上において装着部１０を介して接触させることができる。
【００２５】
また、「一の平面上において接触した状態に保持」とは、別の言い方をすれば、親指と人差し指を掌に沿わせて、又は親指と人差し指の向かい合う側面同士を、装着部１０を介して接触させた状態に保持することを意味する。なお、「一の平面上において接触した状態」には、例えば親指が掌上に配置される状態は含まない。
【００２６】
（止血方法）
次に本実施形態に係る止血方法について説明する。図３は本発明の第１実施形態に係る止血方法を示すフローチャートである。本実施形態に係る止血方法について図３を参照して概説すれば、手の親指と人差し指を接触させて、親指と人差し指の間の第１背側骨格筋Ｍを盛り上げてｓ−ＲＡよりも指先側を走行するｄ−ＲＡを圧迫する（ＳＴ１）。そして、穿刺部位Ｐを止血器具で圧迫止血する（ＳＴ２）。以下、詳述する。
【００２７】
まず、医師等の使用者は、患者の穿刺位置を確認するとともに、穿刺針及び止血補助具１００をはじめとする手技に必要な器具を用意する。
【００２８】
次に使用者は、穿刺針と、必要に応じて穿刺針の穿刺部位に対する姿勢を保持する器具を患者に対して配置し、手Ｈのｄ−ＲＡ付近（図１の穿刺部位Ｐ参照）に穿刺を行う。
【００２９】
穿刺が終了したら、使用者は、ガイドワイヤやイントロデューサーシース等、手技に必要な医療器具を穿刺部位から患者の生体管腔に導入し、手技を行う。
【００３０】
手技が終了したら、使用者は、医療器具を生体から抜去する。そして、使用者は、図１に示すように患者の手の親指に磁石部材２１を備えた第１装着部１１を装着させるとともに、人差し指に磁石部材２２を備えた第２装着部１２を装着させる。
【００３１】
磁石部材２１、２２が図１の矢印に示すように引き合うことによって、第１装着部１１に装着された親指の側面と、第２装着部１２に装着された人差し指において親指と向かい合う側面と、が、図２に示すように一の平面ＸＹ上において接近し、接触する。これにより、穿刺部位及びその周辺にあたる第１背側骨格筋Ｍ（図２参照）が厚さ方向Ｚに盛り上がり、ｄ−ＲＡが圧迫される（ＳＴ１）。
【００３２】
次に、使用者は、患者の手の穿刺部位Ｐに圧迫止血が可能な止血器具を用いて止血部位にあたる穿刺部位Ｐ及びその周辺において圧迫力を付与する。この状態を所定時間、維持することによって圧迫止血が行なわれる（ＳＴ２）。なお、止血器具について例示すれば、洗濯バサミ等のように止血部位と当該止血部位の反対側において体表に当接する当接部位を備え、当該当接部位が金属材料等を弾性域で形状変形させた際に生じる復元力を用いて止血部位に圧迫を行うもの等が挙げられる。
【００３３】
圧迫止血が終了したら、使用者は、止血器具による圧迫を解除するとともに、第１装着部１１を患者の親指から抜き取り、第２装着部１２を患者の人指し指から抜き取る。
【００３４】
上記では、穿刺を行ない、カテーテル等の医療器具を用いて手技を行なった後に止血補助具１００を手Ｈに装着させると説明したが、これに限定されない。上記以外にも穿刺前に止血補助具１００を装着した状態で穿刺及びカテーテル等を用いた手技を実施してもよい。また、上述した方法は、止血補助具１００を用いて概説したステップを実施していればそれ以外のステップは上記に限定されず、他のステップを採用してもよい。
【００３５】
なお、止血補助具１００を穿刺前に手Ｈに装着させる場合には、医療器具を生体から抜去するまで磁石部材２１、２２の磁力を遮断するカバー等を磁石部材２１、２２の少なくともいずれか一方の外表面に取り付けてもよい。これにより、磁石部材２１、２２が意図せずに接近することを防止できる。
【００３６】
以上、本実施形態に係る止血補助具１００は、装着部１０と、保持部２０と、を有する。装着部１０は手Ｈの親指と人指し指に装着可能に構成される。保持部２０は、装着部１０を装着した親指と人差し指を一の平面ＸＹ上において接触した状態に保持する。
【００３７】
穿刺される遠位橈骨動脈の周辺は、骨や腱等が存在するため、親指と人差し指とが図１に示すように離間した状態では遠位橈骨動脈の表皮よりも骨や腱等が盛り上がっている。このような状態で止血器具を取り付けても、骨や腱等に阻害されて穿刺部位に圧迫力が効果的に付与されない場合がある。これに対して、上記のように保持部２０が装着部１０を一の平面ＸＹ上において接触した状態に保持することによって、止血部位にあたる第１背側骨格筋Ｍを厚さ方向Ｚに盛り上げた状態に保持できる。これにより、止血部位に適切に圧迫力を付与することができる。
【００３８】
また、保持部２０は、親指と人差し指とを磁力によって上記平面上において接近した状態に保持する磁石部材２１、２２を備えるように構成している。そのため、親指と人差し指の間の穿刺部位及びその周辺を厚さ方向Ｚに盛り上げた状態に保持でき、これにより当該部位を止血しやすい状態とすることができる。
【００３９】
また、装着部１０は、親指及び人差し指に装着可能な指サックを備えるように構成している。これにより、親指や人差し指に容易に装着ができ、止血作業を容易に行なうことができる。
【００４０】
また、本実施形態に係る止血補助具１００は、手のｄ−ＲＡ（遠位橈骨動脈）の穿刺部位Ｐの止血の補助に用いることができる。
【００４１】
また、本実施形態に係る止血方法では、穿刺されたｄ−ＲＡの止血において、手Ｈの親指と人差し指を接触させて、親指と人差し指の間の第１背側骨格筋Ｍを盛り上げて、ｄ−ＲＡを圧迫する。そして、穿刺部位Ｐを止血器具で圧迫止血する。これにより、上記と同様に止血部位に適切に圧迫力を付与することができる。
【００４２】
（第２実施形態）
図４は本発明の第２実施形態に係る止血補助具１００ａを装着した手を示す図である。第１実施形態では保持部２０が磁石部材２１、２２を備えると説明したが、以下のように構成することもできる。なお、装着部１０は第１実施形態と同様であるため、詳細な説明を省略する。
【００４３】
保持部２０ａは、図４に示すように弾性変形可能な弾性部材を備える。保持部２０ａは、装着部１０と同様にゴム等を材料とし、装着部１０と同等又はそれ以上の弾性係数を備える材料を用いることができる。保持部２０ａは、弾性部材の弾性力によって親指と人差し指とを平面ＸＹ上において接触した状態に保持するように、一例としてゴムバンドのような形状とすることができる。ただし、親指と人差し指を一の平面ＸＹ上において装着部１０を介して接触した状態に保持できれば、具体的態様はゴムバンドに限定されない。
【００４４】
また、保持部２０ａは、本実施形態において第１装着部１１に一体に取り付け、第２装着部１２に引っ掛けることで親指と人差し指とを接触させるように構成している。なお、装着部１０に対する保持部２０ａの取付け方は限定されないが、第１装着部１１及び第２装着部１２の甲側又は掌側を接着剤等で接合してもよい。これにより、保持部２０ａによって第１装着部１１と第２装着部１２とが一の平面ＸＹ上でない態様で接近することを抑制し得る。
【００４５】
（止血方法）
次に本実施形態に係る止血補助具１００ａを用いた止血方法について説明する。なお、本実施形態に係る止血方法の概説は、第１実施形態と同様である（図３参照）。
【００４６】
まず、医師等の使用者は、患者の穿刺位置を確認するとともに、穿刺針及び止血補助具１００ａをはじめとする手技に必要な器具を用意する。
【００４７】
次に、使用者は、穿刺針と、必要に応じて穿刺針の穿刺部位に対する姿勢を保持する器具を患者に対して配置し、手Ｈのｄ−ＲＡ付近（図１の穿刺部位Ｐ参照）に穿刺を行う。
【００４８】
穿刺が終了したら、使用者は、ガイドワイヤーやイントロデューサーシース等、手技に必要な医療器具を穿刺部位から患者の生体管腔に導入し、手技を実施する。
【００４９】
手技が終了したら、使用者は、医療器具を生体から抜去する。そして、使用者は、患者の手の親指に第１装着部１１を装着させるとともに、患者の手の人差し指に第２装着部１２を装着させる。次に、使用者は、第１装着部１１と第２装着部１２とを一体に保持するように保持部２０ａを人差し指に装着させる。
【００５０】
これにより、穿刺部位及びその周辺にあたる親指と人差し指とが一の平面ＸＹ上において接触し、第１背側骨格筋Ｍが厚さ方向Ｚに盛り上がり、ｄ−ＲＡが圧迫される（ＳＴ１）。
【００５１】
次に、使用者は、患者の手の穿刺部位Ｐに圧迫止血が可能な止血器具を用いて止血部位にあたる親指と人差し指の間における穿刺部位及びその周辺に圧迫力を付与する。この状態を所定時間、維持することによって圧迫止血が行なわれる（ＳＴ２）。
【００５２】
圧迫止血が終了したら、使用者は、止血器具による圧迫を解除し、保持部２０ａを人差し指から抜き取る。そして、親指から第１装着部１１を抜き取り、人差し指から第２装着部１２を抜き取る。
【００５３】
なお、本実施形態においても止血補助具１００ａを用いて概説したステップを実施すれば、それ以外のステップは上記に限定されず、他のステップを採用してもよい。
【００５４】
以上、説明したように、第２実施形態に係る止血補助具１００ａは、保持部２０ａが弾性変形可能な弾性部材を備える。保持部２０ａは、弾性部材の弾性力によって親指と人差し指とを一の平面ＸＹ上において接触した状態に保持する。
【００５５】
このように構成することによっても第１実施形態と同様に第１背側骨格筋Ｍを厚さ方向Ｚに盛り上がった状態に保持することができる。これにより、当該部位を、圧迫力を付与し易い状態とし、止血しやすい状態とすることができる。
【００５６】
（第３実施形態）
図５は、本発明の第３実施形態に係る止血補助具１００ｂを装着した手を示す図である。第１実施形態では装着部１０が指サックを備えると説明したが、以下のように構成することもできる。なお、本実施形態において保持部２０は第１実施形態と同様であるため、説明を省略する。
【００５７】
装着部１０ｂは、本実施形態において図５に示すように手袋と同様の形状に構成している。装着部１０ｂは、第１実施形態と同様のゴム等の材料であって、１種類の材料で構成している。装着部１０ｂは、第１装着部１１ｂと、第２装着部１２ｂと、第３装着部１３ｂと、第４装着部１４ｂと、第５装着部１５ｂと、切り欠き部１６ｂと、を備える。
【００５８】
第１装着部１１ｂは、図５に示すように親指を包囲するように形成している。第２装着部１２ｂは、人差し指を包囲するように形成している。第３装着部１３ｂは、中指を包囲するように形成している。第４装着部１４ｂは、薬指を包囲するように形成している。第５装着部１５ｂは、小指を包囲するように形成している。図５において第１装着部１１ｂ、第２装着部１２ｂ、第３装着部１３ｂ、第４装着部１４ｂ、及び第５装着部１５ｂはいずれも指の根元から指先まで露出させずに包囲するように形成している。
【００５９】
切り欠き部１６ｂは、図５に示すように親指と人差し指の間の穿刺部位及び／又は穿刺部位の周辺を包囲せず、露出した状態に維持する。図５では切り欠き部１６ｂは手袋の全体形状において外側から穿刺部位又は穿刺部位の周辺までを抉るように切り欠いた形状に構成している。ただし、穿刺針を穿刺し、その他の医療器具を支障なく導入できれば、切り欠き部１６ｂの具体的な形状は限定されない。図５以外にも例えば、穿刺部位や医療器具を導入する部位を略円形状に切り欠いたような形状に構成してもよい。
【００６０】
（止血方法）
次に本実施形態に係る止血補助具１００ｂの止血方法について説明する。なお、本実施形態に係る止血方法の概説は、第１実施形態と同様である（図３参照）。
【００６１】
まず、医師等の使用者は、患者の穿刺位置を確認するとともに、穿刺針及び止血補助具１００ｂをはじめとする手技に必要な器具を用意する。
【００６２】
次に、使用者は、手技前に予め止血補助具１００ｂを患者に装着させる。そして、使用者は、穿刺針と必要に応じて穿刺針の穿刺部位に対する姿勢を保持する器具を患者に対して配置し、手Ｈのｄ−ＲＡ付近（図１の穿刺部位Ｐ参照）に穿刺を行う。
【００６３】
穿刺が終了したら、使用者は、ガイドワイヤやイントロデューサーシース等、手技に必要な医療器具を穿刺部位から患者の生体管腔に導入し、手技を行う。
【００６４】
手技が終了したら、使用者は、医療器具を生体から抜去する。ここで、止血補助具１００ｂの磁石部材２１、２２の磁力が作用することによって、親指の側面と人差し指において親指と向かい合う側面とが平面ＸＹ上において（掌に沿って）接近し、接触する。
【００６５】
これにより、第１背側骨格筋Ｍが厚さ方向Ｚに盛り上がり、ｄ−ＲＡが圧迫される（ＳＴ１）。
【００６６】
次に、使用者は、患者の手の穿刺部位Ｐに圧迫止血が可能な止血器具を用いて止血部位にあたる穿刺部位Ｐ及びその周辺に圧迫力を付与する。この状態を所定時間、維持することによって圧迫止血が行なわれる（ＳＴ２）。
【００６７】
止血が終了したら、使用者は、止血器具による圧迫を解除するとともに、止血補助具１００ｂを手から抜き取る。
【００６８】
なお、本実施形態においても止血補助具１００ｂを用いて概説したステップを実施すれば、それ以外のステップは上記に限定されず、他のステップを採用してもよい。
【００６９】
以上、説明したように、本実施形態では装着部１０ｂが親指、人差し指、中指、薬指、小指を包囲する手袋のような形状を備えるように構成している。このように構成することによって、従来の手袋を装着させる際と同様の方法で止血を実施することができ、容易に止血作業を実施することができる。
【００７０】
なお、本発明は上述した実施形態にのみ限定されず、特許請求の範囲に応じて種々の変更が可能である。
【００７１】
図６、７は図５の変形例に係る止血補助具１００ｃを示す図である。第２実施形態に係る止血補助具１００ｂでは、穿刺部位又は穿刺部位の近傍に切り欠き部１６ｂを設けると説明したが、これに限定されない。止血補助具１００ｃの切り欠き部１６ｃの近傍には図６、７に示すように穿刺部位又は穿刺部位の周辺を圧迫可能な圧迫部材１７を設けてもよい。
【００７２】
圧迫部材１７は、図６に示すように装着部１０ｃの外表面に取り付けられた切換部材１８に設けられる。切換部材１８は、図６に示すように長尺状に構成し、図７に示すように長手方向の中間の位置において折り返すことができるように構成している。切換部材１８における一の部分（図６の左半分）は止血部位に接するように構成している。切換部材１８における他の部分（図６の右半分）には圧迫部材１７を設け、他の部分を一の部分に折り曲げることができるように構成している。
【００７３】
また、切換部材１８には一の部分と他の部分とを当接した状態に保持できるように、一方には面ファスナーのフックを設け、他方にはループを設けている。切換部材１８を長手方向における中間の位置で図７に示すように折り返すことによって、他の部分に設けた圧迫部材１７を止血部位に位置づけることができる。なお、切換部材１８において一の部分と他の部分の着脱が自在にできれば、着脱を実現する構成は面ファスナーに限定されず、上記以外にも例えばホックボタン等を用いてもよい。
【００７４】
このように、圧迫部材１７により、止血部位にあたる親指と人差し指との間の穿刺部位及びその周辺を圧迫でき、穿刺部位をより効果的に止血やすい状態とすることができる。なお、圧迫部材は、切換部材１８等のように装着部と一体に設けてもよいし、切換部材１８を設けずに圧迫部材を装着部と別部材として設けてもよい。
【００７５】
図８は図１の変形例に係る止血補助具１００ｄを示す図である。第３実施形態では手袋状の装着部１０ｂが図５に示すように、親指や人差し指等の先端にあたる末節骨まで覆うように形成する実施形態について説明したが、これに限定されない。保持部２０によって親指と人差し指を平面ＸＹ上において接触できれば、図８の装着部１０ｄの第２装着部１２ｄに示すように装着部の先端は指の先端である末節骨等にあたる部位を露出させるように構成してもよい。
【００７６】
また、手袋タイプの仕様は図５に示すように人差し指、中指、薬指、及び小指を一つずつ包囲するもの以外にミトン等のように人差し指、中指、薬指、及び小指をまとめて包囲するものであってもよい。
【００７７】
図９は図１の変形例に係る止血補助具１００ｅの保持部２０ｅを示す図である。第１実施形態では磁石部材２１、２２を限られた比較的狭い範囲に設けると説明したが、これに限定されない。図９に示すように磁石部材２２ｅは、人差し指における親指側において人差し指の根元（装着時の基節骨近傍）から先端（装着時の末節骨近傍）にわたって線状に設けるように構成してもよい。
【００７８】
このように構成することによって、親指が比較的短くても親指と人差し指とを接触させて第１背側骨格筋Ｍを厚さ方向Ｚに盛り上げた状態に保持でき、当該部位に圧迫力を付与できる。もちろん、装着者毎の指の長さのバラつきにある程度対応できれば、磁石部材２２ｅの長さは図９に限定されない。
【００７９】
図１０は、図１の変形例に係る止血補助具１００ｆを示す図である。第１実施形態において磁石部材２１は第１装着部１１の先端（装着時の親指末節骨近傍）に取り付け、磁石部材２２を第２装着部１２の根元近傍（装着時の人差し指基節骨近傍）に取り付けると説明したが、これに限定されない。
【００８０】
上記以外にも図１０に示すように磁石部材２１ｆを第１装着部１１の根元近傍（装着時の親指基節骨近傍）に設け、磁石部材２２ｆを第２装着部１２において図１の磁石部材２２よりもさらに根元付近（装着時の人指し指中手骨近傍）に設けてもよい。このように構成することによって、親指が比較的短い患者であっても親指と人差し指とを平面ＸＹ上において接触させ、第１背側骨格筋Ｍを厚さ方向Ｚに盛り上げた状態に保持できる。
【００８１】
図１１、図１２は止血補助具と共に使用可能な装着部材３０を示す斜視図、正面図である。第２実施形態ではゴム等の弾性部材を保持部２０ａとして装着部１０に装着させると説明した。これに加えて図１１、図１２に示すような硬質プラスチック等の比較的硬い材料でできた装着部材３０を親指と人差し指に装着するように構成してもよい。これによって、親指と人差し指とが平面ＸＹ（掌）に沿わずに接触するような事態を防止することができる。
【００８２】
図１３は、図５の変形例に係る止血補助具１００ｇを指先側から見た平面図である。第３実施形態では装着部１０ｂをゴム等の材料で一種類で構成すると説明した。しかし、これに限定されず、図１３に示すように装着部１０ｇを構成する手の甲側１０ｈと掌側１０ｊの材料を別材料で構成してもよい。
【００８３】
その際に、掌側１０ｊの材料を手の甲側１０ｈの材料よりも比較的硬い材料で構成することによって、親指と人差し指とを平面ＸＹ（掌）に沿って接触させやすくできる。これにより、第１背側骨格筋Ｍを厚さ方向Ｚに盛り上げるような状態に保持して当該部位に圧迫力を付与しやすくし、止血しやすい状態とすることができる。
【符号の説明】
【００８４】
１００、１００ａ、１００ｂ、１００ｃ、１００ｄ、１００ｅ、１００ｆ、１００ｇ  止血補助具、
１０、１０ｄ  装着部、
１０ｂ、１０ｃ、１０ｇ  装着部（手袋）、
１１  第１装着部（指サック）、
１２  第２装着部（指サック）、
１７  圧迫部材、
２０、２０ｅ  保持部、
２０ａ  保持部（弾性部材）、
２１、２１ｆ、２２、２２ｅ、２２ｆ  磁石部材（磁力部）、
Ｈ  手、
Ｍ  第１背側骨格筋、
Ｐ  穿刺部位、
ＸＹ  平面。
【図１】
2019217130.tif 000003
【図２】
2019217130.tif 000004
【図３】
2019217130.tif 000005
【図４】
2019217130.tif 000006
【図５】
2019217130.tif 000007
【図６】
2019217130.tif 000008
【図７】
2019217130.tif 000009
【図８】
2019217130.tif 000010
【図９】
2019217130.tif 000011
【図１０】
2019217130.tif 000012
【図１１】
2019217130.tif 000013
【図１２】
2019217130.tif 000014
【図１３】
2019217130.tif 000015